【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
マトリックス表示装置の表示制御信号のノイズ除去回路であって、
ノイズを除去する信号の非活性状態から活性状態への立上りを検出する立上り検出部と、規定期間をカウントするカウンタと、該カウンタの初期化信号を作成する初期化回路部と、前記カウンタのカウント許可信号を作成するカウントイネーブル回路部と、前記カウンタが初期状態であるかを検知する初期状態検出回路を有し、
前記立上り検出部の立上り検出によって、前記カウンタが初期値からカウントを開始し、前記規定期間カウント終了後、前記カウンタを再び初期化するよう構成し、前記初期状態検出回路部が初期状態であることを示す信号をノイズが除去された表示制御信号として出力することを特徴とするノイズ除去回路。
【請求項２】
データイネーブル信号が活性状態では前記カウンタのカウント値を保持し、前記データイネーブル信号が非活性状態となると前記カウンタを初期化することを特徴とする請求項１に記載のノイズ除去回路。
【請求項３】
マトリックス表示装置の表示制御信号のノイズ除去回路であって、
前記制御信号に含まれるデータイネーブル入力信号の非活性状態から活性状態への立上りを検出する立上り検出部と、
前記表示制御信号に含まれるクロック信号をカウントし、初期化信号により初期化され、カウント許可信号によりカウントを実行するカウンタと、
該カウンタの出力値が所定の規定値になった場合にカウント停止信号を出力する水平画素数検出部と、
前記カウンタが初期状態で有ることを検出し、初期状態信号を出力する初期状態検出回路部と、
前記立上り検出部の出力信号と前記カウント停止信号を入力し、前記初期化信号を出力する初期化回路部と、
前記立上り検出部の出力信号と、前記カウント停止信号と、前記初期状態信号を入力し、前記カウント許可信号を出力するカウントイネーブル回路部を有し、
前記立上り検出部の立上り検出出力により、前記カウントイネーブル回路部から出力されるカウント許可信号を受けて前記カウンタがカウント実行を開始し、前記規定値をカウント後、前記水平画素数検出部より前記カウント停止信号が出力され、その信号を受けて前記カウント許可信号が不許可状態となり、同時に前記初期化回路部から前記初期化信号が出力され、前記カウンタが初期化されるよう構成し、前記初期状態信号をデータイネーブル出力信号として出力することを特徴とする表示制御信号のノイズ除去回路。
【請求項４】
ノイズを除去する信号の非活性状態から活性状態への立上りを検出する立上り検出部において、異なった遅延時間を持った複数段の遅延回路出力の論理積出力に基づいて、前記ノイズを除去する信号の非活性状態から活性状態への立ち上がりを検出することを特徴とする請求項１ないし３のいずれか一項に記載のノイズ除去回路。
【請求項５】
前記遅延回路は２個ないし３０個のＤフリップフロップ回路で構成されていることを特徴とする請求項４に記載のノイズを除去回路。
【請求項６】
水平画素数検出部のカウント停止信号および立上り検出部の立上り検出出力を入力する制御回路部、該制御回路部の出力を用いて前記水平画素数検出部に任意の水平画素数を規定値として設定できるよう構成したノイズ除去回路において、前記制御回路部は、前記カウント停止信号が入力されると、前記立上り検出出力が非活性状態である場合は、前記水平画素数を増加させることを特徴とする請求項１ないし４のいずれか一項に記載のノイズ除去回路。
【請求項７】
表示データ信号は、前記立上り検出部におけるノイズを除去する信号の遅延量と同等の遅延量を有する遅延回路を通過することを特徴とする請求項１ないし５のいずれか一項に記載のノイズ除去回路。
【請求項８】
請求項１ないし７のいずれか一項に記載のノイズ除去回路と、データイネーブル入力波形のエッジから次のエッジ間をカウントする第一のカウンタと、該第一のカウンタの第一のカウント値を保持するカウント保持回路と、前記ノイズ除去回路のデータイネーブル出力に同期して前記保持回路に保持された前記第一のカウント値が所定の閾値との大小を判別し、前記閾値より大であれば第二のカウントを増加させ、閾値より小さけれ前記第二のカウント値を減少させる第二のカウンタ回路を具備することを特徴とする解像度弁別回路。
【請求項９】
請求項１ないし７のいずれか一項に記載のノイズ除去回路を用いたマトリックス表示装置。
【手続補正２】
【補正対象書類名】明細書
【補正対象項目名】発明の名称
【補正方法】変更
【補正の内容】
【発明の名称】ノイズ除去回路およびこれを用いたマトリックス表示装置、ならびに解像度弁別回路
【手続補正３】
【補正対象書類名】明細書
【補正対象項目名】００１５
【補正方法】変更
【補正の内容】
【００１５】
この発明に係るマトリックス表示装置のノイズ除去回路は、ノイズを除去する信号の非活性状態から活性状態への立上がりを検出する立上り検出部と規定期間カウントするカウンタと、該カウンタの初期化信号を作成する初期化回路部と、前記カウンタのカウント許可信号を作成するカウントイネーブル回路部と、前記カウンタが初期状態であるかを検知する初期状態検出回路を内蔵しており、ノイズ除去回路において、立上り検出部の立上り検出によって、前記カウンタが初期値からカウントを開始して、前記規定期間分のカウントを終了後、前記カウンタを再び初期化するよう構成し、前記初期状態検出回路部が初期状態であることを示す信号をノイズが除去された信号として出力することを特徴とする。
【手続補正４】
【補正対象書類名】明細書
【補正対象項目名】００３１
【補正方法】変更
【補正の内容】
【００３１】
次に、図４に本実施の形態１にて採用したノイズ除去回路６の構成図を示す。ノイズ除去回路６は、同一ＤＣＬＫ信号にて同期して動作する６段のＤフリップフロップ回路（以後Ｄ−ＦＦと称す）からなる遅延回路ブロック３１と、入力信号ＤＥＮＡと前記Ｄ−ＦＦ回路にて１ＤＣＬＫ毎に順次遅延した信号を入力する７入力ＡＮＤ回路部２２とで構成されるＤＥＮＡ立上り検出部２１、ＤＣＬＫを入力して、ＤＣＬＫの入力パルス数をカウントするカウンタ２７と、前記ＡＮＤ回路部２２の立上り検出出力ＰＥＧを入力し、前記カウンタ２７のカウント機能の動作又は停止を制御するカウント許可信号ＥＮＶをカウンタ２７へ出力するカウントイネーブル回路部２６と、前記立上り検出部２１の立上り検出出力ＰＥＧを入力し、カウンタ２７の初期化信号ＩＮＴを生成し、カウンタ２７に入力する初期化回路部２５と、前記カウンタ２７のカウント出力ＣＮＴが表示パネル１０の解像度に基づいて予め定められた規定値１０２４と一致するかどうかを検出し、一致した場合はカウント停止信号ＥＯＣを前記初期化回路部２５およびカウントイネーブル回路部２６へ出力する水平画素数検出部２３と、カウンタ２７の出力ＣＮＴを入力してカウンタ２７が初期状態であるかを検出し、カウンタ初期状態信号ＩＴＳを出力する初期状態検出部２４と、前記カウンタ初期状態信号ＩＴＳを入力しデータイネーブル出力ＤＥＮＡ２を生成する反転バッファ２８とから構成され、この反転バッファ２８の出力ＤＥＮＡ２がノイズ除去後の信号１６となる。ここでは、カウンタ２７がアップカウンタ式を採用しており、初期化されるとその出力ＣＮＴは零となるため、初期状態検出部２４には前記出力ＣＮＴが零であるかを検出する零値検出回路を採用しており、一方、水平画素数検出部２３はカウンタ２７の出力ＣＮＴが規定値に達したかどうかを判別する規定値検出回路を採用している。